(57)【要約】【課題】  本発明は、着脱ユニットの着脱を容易に行うとともに耐衝撃性を向上した着脱ユニット収納構造を有した電子機器の提供を目的とする。【解決手段】  ＨＤＤ１４には容易に取外すための取外部材１６が設けられている。ＨＤＤ１４はＨＤＤ収納部１３に設けられているコネクタ部２０に結合されている。図４に示すように、ＨＤＤ取外部材１６を引っ張ると、コネクタ部２０が回動することでＨＤＤ１４はＨＤＤ収納部１３に対して起立した状態に立ち上がる。この状態でＨＤＤ１４をコネクタ部２０より取外すことになる。ＨＤＤ収納部１３にはＨＤＤ１４への衝撃を伝わりにくくするための弾力性を有した衝撃吸収材４１，４２，４３，４４が設けられている。【選択図】  図４
2010225183.tif 000002
【特許請求の範囲】
【請求項１】
収納部を有する本体と、
上記収納部に着脱可能に収納される着脱ユニットと、
上記収納部内に上記着脱ユニットが収納された収納位置と、上記収納部から上記着脱ユニットが取り外された起立位置と、の間で、上記着脱ユニットを回動可能に浮遊支持した回転軸と、
上記本体に着脱可能に固定されて、上記収納部を覆う蓋と、
上記収納部の底に設けられ、上記着脱ユニットに当接された衝撃吸収材と、
上記蓋の内面に設けられ、上記着脱ユニットに当接された他の衝撃吸収材と、
を有する電子機器。
【請求項２】
上記回転軸は、上記着脱ユニットが上記衝撃吸収材と上記他の衝撃吸収材との間で保持された状態で、上記収納部の壁から離れている請求項１に記載の電子機器。
【請求項３】
収納部を有する本体と、
上記収納部に着脱可能に収納されたハードディスク駆動装置と、
上記収納部内に上記ハードディスク駆動装置が収納された収納位置と、上記ハードディスク駆動装置が上記収納部から取り外された起立位置と、の間で、上記ハードディスク駆動装置を回動可能に浮遊支持した回転軸と、
上記本体に着脱可能に固定されて、上記収納部を覆う蓋と、
上記収納部の底に設けられ、上記収納部内に収納された上記ハードディスク駆動装置に当接された衝撃吸収材と、
上記蓋の内面に設けられ、上記収納部内に収納された上記ハードディスク駆動装置に当接された他の衝撃吸収材と、
を有する電子機器。
【請求項４】
上記回転軸は、上記着脱ユニットが上記衝撃吸収材と上記他の衝撃吸収材との間で保持された状態で、上記収納部の壁から離れている請求項３に記載の電子機器。
【請求項５】
電子機器本体に設けられた収納部に対し、着脱ユニットを、その回転軸を介して、回動可能に浮遊支持し、
上記着脱ユニットを上記回転軸を中心に回動させて、上記収納部の底に設けられた衝撃吸収材を介して、上記着脱ユニットを上記収納部内に収納し、
その内面に他の衝撃吸収材を備えた蓋を、上記他の衝撃吸収材が上記着脱ユニットに対向するように、上記収納部に被せて、上記本体に固定する、
着脱ユニットの収納方法。
【発明の詳細な説明】
【技術分野】
【０００１】
本発明は、ノート型コンピュータ等の電子機器に係り、特に着脱ユニット収納構造に関する。
【背景技術】
【０００２】
通常のコンピュータでは、キーボードを通じて入力された情報を蓄えるハードディスク駆動装置（ＨＤＤ）のような記憶装置がベースユニットに設けられている。また、この記憶装置が一つのモジュールとしてユニット化されているものでは、記憶装置をベースユニットに対して取り外し可能に装着するようになっている。
【０００３】
この記憶装置を取り外すことができる従来のコンピュータは、ベースユニットの底面に記憶装置の大きさに対応した格納凹部を備えている。この格納凹部は、ベースユニットの底面に開口されており、この開口部は脱着可能なカバーによって覆われている。また、記憶装置の一端部には、第１のコネクタが設けられている。第１のコネクタは、記憶装置を格納凹部に装着した際に、この格納凹部内の第２のコネクタと接続されるようになっている。この接続により、ベースユニットと記憶装置との電気的な接続がなされる。
【０００４】
この場合、例えば、記憶装置を格納凹部に対し平行な姿勢で落とし込んだ後、この記憶装置をスライドさせることでコネクタ同士を接続する。このため、格納凹部と記憶装置との間には、記憶装置をスライドさせるためのスペースを確保しなくてはならない。このことから、記憶装置の実装スペースが大きくなり、近年のコンピュータのコンパクト化に対応できなくなる。
【０００５】
そこで、コネクタを回動可能にすることでＨＤＤを取り外しやすい収納構造が提案されている。（特許文献１参照）
また、近年、記憶装置の耐衝撃性を向上させるために、ＨＤＤに衝撃吸収材を取り付けているものもある。（特許文献２参照）
【先行技術文献】
【特許文献】
【０００６】
【特許文献１】特開平５−２８９７７６号公報（段落番号００４０など、第１、２、３、５図等）
【特許文献２】特開平１１−２４２８８１号公報（第１、４、１０図など）
【発明の概要】
【発明が解決しようとする課題】
【０００７】
特許文献１においては、ＨＤＤの取り外しについては容易に行えるが耐衝撃性について問題が残る。特許文献２においては、耐衝撃性については向上するが、ＨＤＤの着脱構造に問題がある。
【０００８】
そこで本発明は、着脱ユニットの着脱を容易に行うとともに耐衝撃性を向上した着脱ユニット収納構造を有した電子機器の提供を目的とする。
【課題を解決するための手段】
【０００９】
上記目的を達成するため、本発明の一つの形態に係る電子機器は、収納部を有する本体と、上記収納部に着脱可能に収納される着脱ユニットと、上記収納部内に上記着脱ユニットが収納された収納位置と、上記収納部から上記着脱ユニットが取り外された起立位置と、の間で、上記着脱ユニットを回動可能に浮遊支持した回転軸と、上記本体に着脱可能に固定されて、上記収納部を覆う蓋と、上記収納部の底に設けられ、上記着脱ユニットに当接された衝撃吸収材と、上記蓋の内面に設けられ、上記着脱ユニットに当接された他の衝撃吸収材と、を有する。
【図面の簡単な説明】
【００１０】
【図１】電子機器の斜視図。
【図２】電子機器の裏面を示す斜視図。
【図３】ＨＤＤ収納部の蓋を外した状態を示す斜視図。
【図４】ＨＤＤを起立させた状態の斜視図。
【図５】ＨＤＤ収納部よりＨＤＤを取り外した状態を示す斜視図。
【図６】ＨＤＤ収納部よりＨＤＤを取り外しコネクタを起立させた状態の斜視図。
【図７】ＨＤＤ収納部とコネクタとの関係を示す断面図。
【図８】コネクタを起立させた状態を示す断面図。
【図９】ＨＤＤとＨＤＤ収納部と蓋の関係を示した断面図。
【発明を実施するための形態】
【００１１】
以下本発明に係る実施の形態を、図面を参照して説明する。
【００１２】
図１は、電子機器の斜視図である。ノート型コンピュータ（電子機器）１は、本体２と、この本体２上に設けられたキーボード３と、本体２にヒンジ部４を介して回動可能に接続される表示部５を有している。本体２は下ケース２ａと上ケース２ｂとを有している。
【００１３】
図２は、電子機器の裏面を示す斜視図である。図３は、ＨＤＤ収納部の蓋を外した状態を示す斜視図である。図４は、ＨＤＤを起立させた状態の斜視図である。
【００１４】
図２に示すように、本体２の底面２ｃには後述するＨＤＤ収納部が設けられており、蓋１０により覆われている。蓋１０はねじ１１により本体２に固定されている。図３に示すように、本体２にはＨＤＤ収納部１３が設けられている。ＨＤＤ収納部１３にはＨＤＤ１４が着脱可能に収納されている。ＨＤＤ収納部１３の大きさは、ＨＤＤ１４とほぼ同じ大きさに規定されている。ＨＤＤ収納部１３は下ケース２ａにより一体形成されている。ＨＤＤ収納部１３と本体２の下ケース２ａとの境界には蓋１０が載置されるように底面２ｃより一段窪んで蓋載置部１５が設けられている。蓋載置部１５には、ねじ１１がねじ固定されるねじ孔１２が設けられている。ＨＤＤ１４には取り外しを容易にするために取外部材１６が取り付けられている。取外部材１６はインシュレータ等のビニール製で形成されている。
【００１５】
ＨＤＤ１４はＨＤＤ収納部１３に設けられているコネクタ部２０に結合されている。図４に示すように、取外部材１６を引っ張ると、コネクタ部２０が回動することでＨＤＤ１４はＨＤＤ収納部１３に対して起立した状態に立ち上がる。この状態でＨＤＤ１４をコネクタ部２０より取外すことになる。
【００１６】
ＨＤＤ収納部１３にはＨＤＤ１４への衝撃を伝わりにくくするための弾力性を有した衝撃吸収材４１，４２，４３，４４が設けられている。これら衝撃吸収材４１，４２，４３，４４はゴム製であり、ＨＤＤ収納部１３に収納されたＨＤＤ１４の底面の４隅に対応するようにＨＤＤ収納部１３の底面に配置されている。衝撃吸収材４１，４２，４３，４４はほぼ断面Ｌ字状に形成されており、底部４１ａ，４２ａ，４３ａ，４４ａおよび側部４１ｂ，４２ｂ（衝撃吸収材４３，４４の側部は図示せず）を有している。底部４１ａ，４２ａ，４３ａ，４４ａはＨＤＤ１４の底面に当接され、側部４１ｂ，４２ｂ（衝撃吸収材４３，４４の側部は図示せず）はＨＤＤ１４の側面に当接する。
【００１７】
コネクタ部２０と本体内部の基板(図示せず)とはケーブル１８にて接続されている。ケーブル１８は上方よりインシュレータ等のシート１７にて覆われている。
【００１８】
図５は、ＨＤＤ収納部よりＨＤＤを取り外した状態を示す斜視図である。図６は、ＨＤＤ収納部よりＨＤＤを取り外してコネクタを起立させた状態の斜視図である。図５に示すように、ＨＤＤ収納部１３にはコネクタ部２０およびコネクタ部２０に取り付けられるコネクタ３０が設けられている。コネクタ部２０の側部に位置決めピン３１，３２が設けられており、ＨＤＤ１４をコネク３０に接続する際の位置決めを行う。
【００１９】
図５に示すコネクタ部２０およびコネクタ３０の状態はＨＤＤ１４をＨＤＤ収納部１３に収容している状態の位置を示しており、図６には、ＨＤＤ１４を取外す際にＨＤＤ１４を起立させた状態におけるコネクタ部２０およびコネクタ３０の状態を示している。すなわち、コネクタ部２０およびコネクタ３０は、ともに収納位置（ＨＤＤ収納状態に対応）と起立位置（ＨＤＤ取外し可能状態）との間で回動可能である。
【００２０】
コネクタ部２０の両側部には後述する回転軸２１が設けられており、この回転軸２１を中心にコネクタ部２０が起立位置と収納位置との間で回動可能である。
【００２１】
図７は、ＨＤＤ収納部とコネクタとの関係を示す断面図である。図８は、コネクタを起立させた状態を示す断面図である。図７に示すように、コネクタ部２０は延長部２０ａの側部に回転軸２１を有している。コネクタ部２０にはコネクタ３０が結合されており、コネクタ３０にはＨＤＤ１４が結合されている。
【００２２】
下ケース２ａは、ＨＤＤ収納部１３の方向に延びる延出部２ｄを有している。延出部２ｄの先端には図面下方（本体２の上方）に延びる係止片２ｅが設けられている。上ケース２ｂと下ケース２ａとの間において、延出部２ｄおよび係止片２ｅと対応する位置には支持部材５０が設けられる。支持部材５０は図示しないねじによりＨＤＤ収納部１３に固定されている。支持部材５０は断面略Ｌ字状に形成されており、一端５１が下ケース２ａに当接されて固定されており、他端５２の先端は係止片２ｅの方向に折れ曲がるように形成されて係止片５３を形成している。
【００２３】
上ケース２ｂと延出部２ｄと支持部材５０と係止片５３とで形成される空間Ａ内にコネクタ部２０の回転軸２１が位置する構成となる。回転軸２１は上記空間Ａ内に浮遊支持される状態となっている。この構造により、コネクタ部２０およびコネクタ３０は起立位置と収納位置との間で自由に回動可能となっている。
【００２４】
図９は、ＨＤＤとＨＤＤ収納部と蓋の関係を示した断面図である。蓋１０の内面には衝撃吸収材４１，４２，４３，４４と同様に衝撃吸収材６１，６２が設けられている。具体的には、ＨＤＤ１４がＨＤＤ収納部１３に収納された状態でＨＤＤ１４の上面の４つの角部に対応するように４個の衝撃吸収材が蓋１０の内面に貼り付けられている。
【００２５】
なお、図面では蓋１０の内面に設けられている４つの衝撃緩衝材のうち２つは図示していない。また、衝撃吸収材４１，４２，４３，４４および６１，６２は、図示しないテープ等で貼り付けられている。
【００２６】
以上のような構成により、着脱ユニットであるＨＤＤを容易に取外すことが可能でありかつ耐衝撃性を持たせることができる。さらに、ＨＤＤ自身は衝撃吸収材で上下面側面を押さえられるためねじによる固定を必要としないため、組み立て性、コストの面で有利である。本実施の形態ではＨＤＤに本発明を適用したが電池パック、その他着脱ユニットであれば適用可能である。
【００２７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００２８】
以下に、本願出願の当初の特許請求の範囲に記載された発明を付記する。
【００２９】
［１］
収納部を有する本体と、
上記収納部に設けられるとともに収納位置と起立位置との間で回動可能なコネクタと、
上記コネクタに着脱可能に接続されるとともに、上記コネクタとともに回動可能な着脱ユニットと、
上記本体に着脱可能に上記収納部を覆う蓋と、
を具備することを特徴とする電子機器。
【００３０】
［２］
上記収納部には上記着脱ユニットに当接する衝撃吸収材が設けられ、上記蓋内面には上記着脱ユニットに当接する衝撃吸収材が設けられることを特徴とする［１］記載の電子機器。
【符号の説明】
【００３１】
１…電子機器、２…本体、２ａ…下ケース、２ｂ…上ケース、２ｃ…底面、２ｄ…延出部、２ｅ…係止片、３…キーボード、４…ヒンジ部、５…表示部、１０…蓋、１３…ＨＤＤ収納部、１４…ＨＤＤ、１５…蓋載置部、１６…取外部材、２０…コネクタ部、２１…回転軸、３０…コネクタ、５０…支持部材、５３…係止片、４１，４２，４３，４４，６１，６２…衝撃吸収材。
【図１】
2010225183.tif 000003
【図２】
2010225183.tif 000004
【図３】
2010225183.tif 000005
【図４】
2010225183.tif 000006
【図５】
2010225183.tif 000007
【図６】
2010225183.tif 000008
【図７】
2010225183.tif 000009
【図８】
2010225183.tif 000010
【図９】
2010225183.tif 000011